(57)【要約】【課題】棚板が前方にスライドされた場合にも良好に支持すること。【解決手段】ケース本体１０の収納室１３に立設された棚支柱１５に、後端部が第１係合手段を介して係合されて支持されたブラケット３０と、ブラケット３０に前後方向に沿ってスライド可能に設けられた棚板４０とを備え、棚板４０の上面に商品を載置して陳列するショーケースの商品陳列棚であって、ブラケット３０は、収納室１３における棚支柱１５の前方に立設された前方棚柱１７に第２係合手段を介して係合されて支持されている。【選択図】図３
2018019766.tif 000002
【特許請求の範囲】
【請求項１】
ケース本体の収納室に立設された棚支柱に、後端部が第１係合手段を介して係合されて支持されたブラケットと、
前記ブラケットに前後方向に沿ってスライド可能に設けられた棚板と
を備え、前記棚板の上面に商品を載置して陳列するショーケースの商品陳列棚であって、
前記ブラケットは、前記収納室における前記棚支柱の前方に立設された前方棚柱に第２係合手段を介して係合されて支持されたことを特徴とするショーケースの商品陳列棚。
【請求項２】
前記第１係合手段は、
前記棚支柱に形成された第１係合孔と、
前記ブラケットの後端部より後方に向けて突出する態様で形成された係合突起と
を有し、
前記係合突起が前記第１係合孔に相対的に進入して前記ブラケットを前記棚支柱に係合させたことを特徴とする請求項１に記載のショーケースの商品陳列棚。
【請求項３】
前記係合突起は、後方に向かうに連れて幅が小さくなる態様で形成されたことを特徴とする請求項２に記載のショーケースの商品陳列棚。
【請求項４】
前記第２係合手段は、
前記前方棚柱に形成された第２係合孔と、
前記ブラケットの前端部を構成する係合部と
を有し、
前記係合部に形成された係合爪が前記第２係合孔に相対的に進入して該第２係合孔の縁部に係止することで前記ブラケットを前記前方棚柱に係合させたことを特徴とする請求項１〜３のいずれか１つに記載のショーケースの商品陳列棚。
【発明の詳細な説明】
【技術分野】
【０００１】
本発明は、ショーケースの商品陳列棚に関し、より詳細には、例えばスーパーマーケットやコンビニエンスストア等の店舗に設置され、収納対象となる商品を所望の温度状態に保持するようにしたショーケースの商品陳列棚に関するものである。
【背景技術】
【０００２】
従来、例えばスーパーマーケットやコンビニエンスストア等の店舗に設置され、収納対象となる商品を所望の温度状態に保持するようにしたショーケースとして、次のようなものが知られている。
【０００３】
ケース本体の収納室に複数の商品陳列棚が上下方向に沿って複数段設けられており、それぞれの商品陳列棚に商品が載置されて陳列されている。またケース本体の内部であって収納室の外部となる個所には、吸込口を通じて吸い込まれた収納室の内部の空気を冷却する冷却器が設けられており、この冷却器により冷却された空気が吹出口から収納室の内部に吹き出されることにより、商品陳列棚に陳列された商品が所望の温度状態に調整されることになる。
【０００４】
かかるショーケースにおける商品陳列棚には、商品補充の利便性等を考慮したスライド式のものが知られている。このようなスライド式の商品陳列棚は、ブラケット及び棚板を備えて構成されている。
【０００５】
ブラケットは、上記収納室を画成する背面パネルを支持するとともに上下方向に所定間隔で孔部が形成された棚支柱に対し、後端部に形成された係合孔が所定の孔部に挿入されることで該棚支柱に支持されている。棚板は、上面が商品を載置するための載置面を構成する平板状部材であり、左右両端部がそれぞれスライド機構を介してブラケットに支持されている。
【０００６】
かかる商品陳列棚では、棚板がブラケットに対して前後方向にスライド可能である（例えば、特許文献１参照）。
【先行技術文献】
【特許文献】
【０００７】
【特許文献１】特開２０１２−１６１４９１号公報
【発明の概要】
【発明が解決しようとする課題】
【０００８】
ところで、近年においては、商品陳列棚に陳列される商品の数の増大化等の要請により、該商品陳列棚の左右幅が拡大される傾向にある。
【０００９】
このように左右幅が拡大される商品陳列棚において、従来のようにブラケットが棚支柱にのみ支持されるものでは、棚板を前方にスライドさせた場合に、ブラケットの後端部と棚支柱との係合部分に作用するモーメントが過大なものとなってしまい、結果的に、商品陳列棚の破損を招来する虞れがあった。
【００１０】
本発明は、上記実情に鑑みて、棚板が前方にスライドされた場合にも良好に支持することができるショーケースの商品陳列棚を提供することを目的とする。
【課題を解決するための手段】
【００１１】
上記目的を達成するために、本発明に係るショーケースの商品陳列棚は、ケース本体の収納室に立設された棚支柱に、後端部が第１係合手段を介して係合されて支持されたブラケットと、前記ブラケットに前後方向に沿ってスライド可能に設けられた棚板とを備え、前記棚板の上面に商品を載置して陳列するショーケースの商品陳列棚であって、前記ブラケットは、前記収納室における前記棚支柱の前方に立設された前方棚柱に第２係合手段を介して係合されて支持されたことを特徴とする。
【００１２】
また本発明は、上記ショーケースの商品陳列棚において、前記第１係合手段は、前記棚支柱に形成された第１係合孔と、前記ブラケットの後端部より後方に向けて突出する態様で形成された係合突起とを有し、前記係合突起が前記第１係合孔に相対的に進入して前記ブラケットを前記棚支柱に係合させたことを特徴とする。
【００１３】
また本発明は、上記ショーケースの商品陳列棚において、前記係合突起は、後方に向かうに連れて幅が小さくなる態様で形成されたことを特徴とする。
【００１４】
また本発明は、上記ショーケースの商品陳列棚において、前記第２係合手段は、前記前方棚柱に形成された第２係合孔と、前記ブラケットの前端部を構成する係合部とを有し、前記係合部に形成された係合爪が前記第２係合孔に相対的に進入して該第２係合孔の縁部に係止することで前記ブラケットを前記前方棚柱に係合させたことを特徴とする。
【発明の効果】
【００１５】
本発明によれば、ケース本体の収納室に立設された棚支柱に、後端部が第１係合手段を介して係合されて支持されたブラケットは、収納室における棚支柱の前方に立設された前方棚柱に第２係合手段を介して係合されて支持されているので、左右幅が拡大された棚板が前方にスライドされても、前方にスライドされた棚板と、ブラケットと前方棚柱との係合部分との距離を短くすることができるので、該係合部分に作用するモーメントを軽減することができ、これにより、棚板が前方にスライドされた場合にも良好に支持することができるという効果を奏する。
【図面の簡単な説明】
【００１６】
【図１】図１は、本発明の実施の形態である商品陳列棚が適用されたショーケースを示す斜視図である。
【図２】図２は、本発明の実施の形態である商品陳列棚が適用されたショーケースを示す斜視図である。
【図３】図３は、図１及び図２に示した商品陳列棚の要部を示す斜視図である。
【図４】図４は、図３に示したブラケットの斜視図である。
【図５】図５は、図３に示したブラケットの分解斜視図である。
【図６】図６は、ブラケットと棚支柱との係合状態を示すための分解斜視図である。
【図７】図７は、ブラケットと前方棚柱との係合状態を示すための分解斜視図である。
【図８】図８は、ブラケットの変形例の要部を拡大して示す説明図である。
【発明を実施するための形態】
【００１７】
以下に添付図面を参照して、本発明に係るショーケースの商品陳列棚の好適な実施の形態について詳細に説明する。
【００１８】
図１及び図２は、それぞれ本発明の実施の形態である商品陳列棚が適用されたショーケースを示す斜視図である。ここで例示するショーケースは、ケース本体１０を備えている。
【００１９】
ケース本体１０は、前面に形成された前面開口１１が断熱性の前面扉１２により開閉される、略直方状の断熱筐体である。このケース本体１０の内部には、収納室１３が形成されている。
【００２０】
収納室１３は、上記前面開口１１を臨む態様で形成された室であり、複数（図示の例では７つ）の商品陳列棚２０が上下方向に沿って複数段並べて設けられている。この商品陳列棚２０の構成については後述する。
【００２１】
かかるケース本体１０の内部には、収納室１３の外部となる個所に該収納室１３と吸込口及び吹出口（ともに図示せず）を通じて連通する図示せぬ空気通路が形成されており、かかる空気通路に循環ファン及び冷却器（ともに図示せず）が設けられている。
【００２２】
循環ファンは、駆動することにより、吸込口を通じて収納室１３の内部の空気を空気通路に吸い込んで該空気通路を通過させ、空気通路を通過した空気を吹出口より収納室１３の内部に吹き出させることで、収納室１３の内部の空気を収納室１３の内部と外部との間で循環させるものである。冷却器は、周囲を通過する空気、すなわち空気通路を通過する空気を冷却するものである。
【００２３】
このような循環ファン及び冷却器により、収納室１３の内部の空気が冷却され、これにより、商品陳列棚２０に載置されて陳列された商品は冷却される。
【００２４】
図３は、図１及び図２に示した商品陳列棚の要部を示す斜視図である。尚、図３では、商品陳列棚の左側部分を拡大して示しているが、商品陳列棚の右側部分については左側部分と左右の構造が異なるだけであるので、その説明を割愛する。ここで例示する商品陳列棚２０は、ブラケット３０及び棚板４０を備えて構成されている。
【００２５】
ブラケット３０は、鋼板を屈曲等して形成された左右一対のものであり、図４及び図５に示すように、ブラケット本体部３１及び係合部３２を有している。
【００２６】
ブラケット本体部３１は、前後方向が長手方向となる長尺状部材であり、本体基部３１１と、本体上側右延部３１２と、本体下側右延部３１３とを有している。本体基部３１１は、上下方向に沿って延在する長尺平板状部分である。本体上側右延部３１２は、本体基部３１１の上端縁部の略全域より右方に向けて延在する部分である。本体下側右延部３１３は、本体基部３１１の下端縁部の前端域より右方に向けて延在する部分である。
【００２７】
このようなブラケット本体部３１においては、本体基部３１１の後端部より後方に向けて突出する３つの係合突起３１４が上下方向に沿って互いに離間する態様で形成されている。これら係合突起３１４は、幅となる上下方向の長さが略均等となる態様で後方に向けて突出しており、先端部が湾曲状を成している。
【００２８】
係合部３２は、係合基部３２１と係合右延部３２２とを有している。係合基部３２１は、上下方向に沿って延在する平板状部分である。係合右延部３２２は、係合基部３２１の下端縁部より右方に向けて延在する部分である。
【００２９】
このような係合部３２においては、係合基部３２１の後端部より後方に向けて突出する３つの係合爪３２３が上下方向に沿って互いに離間する態様で形成されている。これら係合爪３２３の先端部分には、下方に向けて突出するフック部３２３ａが形成されている。
【００３０】
そして、かかる係合部３２は、係合右延部３２２の上面に本体下側右延部３１３の下面が接し、かつ係合基部３２１がブラケット３０基部の左側に配置する態様で図示せぬ締結部材により締結されてブラケット本体部３１に取り付けられている。つまり、係合部３２は、ブラケット３０の前端部を構成している。
【００３１】
このようなブラケット３０は、図６に示すように、収納室１３の背面パネル１４を支持する態様で立設された棚支柱１５の前面に形成された対応する矩形孔（第１係合孔）１６に、係合突起３１４が前方側より相対的に進入することにより、後端部が棚支柱１５に係合される。
【００３２】
そして、ブラケット３０は、図７に示すように、棚支柱１５の前方に立設された前方棚柱１７の前面及び内面に跨る態様で形成された孔部（第２係合孔）１８に、係合爪３２３が前方側より相対的に進入してフック部３２３ａが孔部１８の下縁部に係止することにより、前端部が前方棚柱１７に係合される。
【００３３】
棚板４０は、上面が商品を載置する載置面を構成する略平板状部材である。この棚板４０は、左端部がスライド機構４１（図３参照）を介してブラケット３０に取り付けられるとともに、右端部がスライド機構４１を介してブラケット３０に取り付けられている。ここでスライド機構４１は、従来公知のものであり、ブラケット３０に対して棚板４０が前後方向に沿ってスライドすることを許容する機構である。
【００３４】
そのような構成を有する商品陳列棚２０においては、前面扉１２が前方に向けて揺動されて前面開口１１が開成された場合に、棚板４０が前方にスライドされることを許容し、前方にスライドされた棚板４０の上面に商品が補充されて載置されることが可能になる。
【００３５】
以上説明したように、本実施の形態であるショーケースの商品陳列棚２０によれば、ブラケット３０の後端部が棚支柱１５に係合されるとともにブラケット３０の前端部が前方棚柱１７に係合されて支持されているので、左右幅が拡大された棚板４０が前方にスライドされても、前方にスライドされた棚板４０と、ブラケット３０と前方棚柱１７との係合部分との距離を短くすることができるので、該係合部分に作用するモーメントを軽減することができ、これにより、棚板４０が前方にスライドされた場合にも良好に支持することができる。
【００３６】
上記商品陳列棚２０によれば、ブラケット３０の後端部の係合突起３１４は、矩形孔１６に前方から差し込み、かつブラケット３０の前端部の係合爪３２３は、孔部１８の下縁部にフック部３２３ａを係止させるようにしているので、作業者は、目視にて係合爪３２３を孔部１８の下縁部に係止させればよく、作業者がブラケット３０の係止忘れを抑制することができる。
【００３７】
上記商品陳列棚２０によれば、ブラケット３０の前端部の係合爪３２３を相対的に進入させる前方棚柱１７の孔部１８が、該前方棚柱１７の前面及び内面に跨る態様で形成されているので、前方棚柱１７の左右方向の長さを小さくすることができ、これにより棚板４０の左右幅を増大させることができ、陳列可能な商品数を増大させることができる。
【００３８】
以上、本発明の好適な実施の形態について説明したが、本発明はこれに限定されるものではなく、種々の変更を行うことができる。
【００３９】
上述した実施の形態では、ブラケット３０の係合突起３１４は、幅となる上下方向の長さが略均等となる態様で後方に向けて突出していたが、本発明においては、図８に示すように、係合突起３１４′は、後方に向かうに連れて幅が小さくなる態様で形成されてもよい。
【００４０】
上述した実施の形態では、係合部３２がブラケット本体部３１に締結部材を介して締結されてブラケット３０を構成していたが、本発明においては、係合部がブラケット本体部に着脱可能に設けられていてもよいし、係合部がブラケット本体部に対して相対的に前後方向又は左右方向に沿って移動可能に設けられていてもよい。これによれば、棚支柱と前方棚柱との間隔の寸法誤差が大きくなった場合でも、ブラケット本体部に対する係合部の位置を相対的に変位させることで、かかる寸法誤差を吸収することができる。
【００４１】
上述した実施の形態では、左右一対のブラケット３０は、それぞれ独立して棚支柱１５及び前方棚柱１７に支持されるものであったが、本発明においては、左右一対のブラケットは互いに一体的に設けられていてもよいし、棚板に一体的に設けられていてもよい。
【符号の説明】
【００４２】
１０  ケース本体
１３  収納室
１５  棚支柱
１６  矩形孔
１７  前方棚柱
１８  孔部
２０  商品陳列棚
３０  ブラケット
３１  ブラケット本体部
３１１  本体基部
３１２  本体上側右延部
３１３  本体下側右延部
３１４  係合突起
３２  係合部
３２１  係合基部
３２２  係合右延部
３２３  係合爪
３２３ａ  フック部
４０  棚板
【図１】
2018019766.tif 000003
【図２】
2018019766.tif 000004
【図３】
2018019766.tif 000005
【図４】
2018019766.tif 000006
【図５】
2018019766.tif 000007
【図６】
2018019766.tif 000008
【図７】
2018019766.tif 000009
【図８】
2018019766.tif 000010